(57)【要約】【課題】ねずみをよく捕獲することができ、また、捕獲後のねずみを簡単に処理できるようにしたねずみ捕りを提供する。【解決手段】横向きに開口する進入口１１と餌置き部１２とを有する誘導路１０と、進入口１１を開放する開放位置Ｐ１と閉鎖する閉鎖位置Ｐ２との間で移動可能な扉２０と、ねずみの進入を検知する検知手段３０と、開放位置Ｐ１に係止された扉２０を、検知手段３０の検知信号により係止を解除して閉鎖位置Ｐ２に移動させる閉鎖手段４０と、誘導路１０から横方向に分岐された着脱可能な捕獲路５０と、捕獲路５０の先端部５０ｂに設けられて外部からの採光を可能とするとともに外部からの内部の視認は禁止する明かり採り６０と、捕獲路５０に進入したねずみが誘導路１０に逆行することを防止する逆行防止手段７０と、を備える。【選択図】図１
2011078359.tif 000002
【特許請求の範囲】
【請求項１】
載置面に置かれて使用されるねずみ捕りにおいて、
端部に設けられて横向きに開口する進入口と、前記進入口から奥に入ったところに設けられた餌置き部と、を有する誘導路と、
前記進入口に取り付けられて前記進入口を開放する開放位置と前記進入口を閉鎖する閉鎖位置との間で移動可能な扉と、
前記進入口からねずみが進入したことを検知する検知手段と、
前記開放位置に係止された前記扉を、前記検知手段の検知信号により係止を解除して前記閉鎖位置に移動させる閉鎖手段と、
基端部が前記誘導路から横方向に分岐されるとともに先端部が閉鎖された着脱可能な捕獲路と、
前記捕獲路の先端部に設けられて外部からの採光を可能とするとともに前記外部からの内部の視認は禁止する明かり採りと、
前記捕獲路に進入したねずみが前記誘導路に逆行することを防止する逆行防止手段と、を備える、
ことを特徴とするねずみ捕り。
【請求項２】
前記捕獲路は、断面円形のパイプ状に形成されるとともに、前記基端部が前記誘導路側に着脱可能に嵌合されている、
ことを特徴とする請求項１に記載のねずみ捕り。
【請求項３】
前記逆行防止手段は、一方の面に粘着剤が塗布されて前記粘着剤の塗布面を内側にして筒状に巻かれて前記捕獲路内に挿入された粘着シートである、
ことを特徴とする請求項２に記載のねずみ捕り。
【請求項４】
前記逆行防止手段は、前記捕獲路の基端部近傍における前記捕獲路側又は前記誘導路側に配置されて、前記誘導路から前記捕獲路へのねずみの進入は許容し、前記捕獲路から前記誘導路への逆行は禁止する逆行防止部材によって構成されている、
ことを特徴とする請求項２に記載のねずみ捕り。
【請求項５】
前記捕獲路は、前記先端部が着脱可能に構成されている、
ことを特徴とする請求項２ないし４のいずれか１項に記載のねずみ捕り。
【請求項６】
前記閉鎖手段は、前記検知手段の検知信号によって作動する電磁石と、前記電磁石の作動に伴って係合位置から解除位置に移動することで、前記扉の前記係止を解除して前記扉を前記開放位置から前記閉鎖位置に移動させる閉じ部材と、を有する、
ことを特徴とする請求項１ないし５のいずれか１項に記載のねずみ捕り。
【請求項７】
前記検知手段は、前記餌置き部近傍に配置されてねずみが乗ることで下降する踏み板と、前記踏み板の下降を検知して前記電磁石を作動させるスイッチと、を有する、
ことを特徴とする請求項６に記載のねずみ捕り。
【請求項８】
前記扉は、閉鎖位置に配置された際に内側に位置する内面に、奥側に向けて延びる針状部材を有する、
ことを特徴とする請求項１ないし７のいずれか１項に記載のねずみ捕り。
【請求項９】
前記扉と前記誘導路との間に、前記扉を前記閉鎖位置に向けて付勢する付勢部材が介装されている、
ことを特徴とする請求項１ないし８のいずれか１項に記載のねずみ捕り。
【請求項１０】
前記誘導路は、一方の端部と他方の端部とに前記進入口を有し、
前記扉は、前記一方の端部と前記他方の端部の前記進入口のそれぞれに取り付けられている、
ことを特徴とする請求項１ないし９のいずれか１項に記載のねずみ捕り。
【請求項１１】
前記誘導路は、前記一方の端部と前記他方の端部とに、前記進入口を閉鎖する透明板を挿脱可能なスリットを有している、
ことを特徴とする請求項１０に記載のねずみ捕り。
【発明の詳細な説明】
【技術分野】
【０００１】
本発明は、事務所，工場，倉庫等の職場や一般家庭において、床面や地面等の載置面に置いて使用するねずみ捕りに関する。
【背景技術】
【０００２】
従来、ねずみを捕るための捕獲方法や捕獲器は、種々のものが提案され、また、実践されている。
【０００３】
例えば、毒入り団子等の毒物をねずみに食べさせて殺傷する方法は、古くから実践されている。
【０００４】
また、捕獲器として、金網でできた比較的小さい箱に餌を入れ、ねずみが入口から入ってこの餌を採ろうとすると入口が塞がれて逃げられなくなるものが一般的に知られている。
【０００５】
さらに、特許文献１には、底板，左右の側板，上板，奥板によって、前側が開口された筺体を構成し、この開口部に上下動可能な扉を開放状態でセットし、ねずみが筺体内に侵入すると、仕掛けが外れて扉が閉じられるものが開示されている。
【先行技術文献】
【特許文献】
【０００６】
【特許文献１】特開２００５−３２８７１６号公報
【発明の概要】
【発明が解決しようとする課題】
【０００７】
しかしながら、毒物をねずみに食べされる方法は、毒物を食べたねずみがどこで死ぬかが分からず、例えば、天井裏で死んだ場合には、死後の腐乱により異臭が発生したり、雑菌が発生したりして、衛生的でないという問題がある。また、ペットが誤って毒物を食べた場合には死んでしまうという安全面での問題がある。
【０００８】
また、金網でできた捕獲器は、構造が簡単で手軽ではあるものの、捕獲されたねずみを他のねずみが外部から容易に見ることができるため、これを見たねずみは、学習してその捕獲器には、掛かりにくくなるという問題がある。
【０００９】
さらに、特許文献１のものは、筺体内に捕獲されたねずみは、外部からは見えなくなるものの、その後、筺体内に捕獲したねずみを手や器具で外部に取り出さなければならず、この作業が煩雑であるという問題があった。
【００１０】
なお、以上の問題は、ねずみ以外の小動物を捕獲する場合についても同様にあてはまる。
【００１１】
そこで、本発明は、衛生的で安全で、また、捕獲されたねずみ（小動物）が外部から見えないようにして、ねずみ（小動物）をよく捕獲できるようにし、さらに、捕獲後のねずみ（小動物）の後処理を簡単に行うことができるねずみ取りを提供することを目的とするものである。
【課題を解決するための手段】
【００１２】
請求項１に係る発明は、載置面に置かれて使用されるねずみ捕りに関する。この発明に係るねずみ捕りは、端部に設けられて横向きに開口する進入口と、前記進入口から奥に入ったところに設けられた餌置き部と、を有する誘導路と、前記進入口に取り付けられて前記進入口を開放する開放位置と前記進入口を閉鎖する閉鎖位置との間で移動可能な扉と、前記進入口からねずみが進入したことを検知する検知手段と、前記開放位置に係止された前記扉を、前記検知手段の検知信号により係止を解除して前記閉鎖位置に移動させる閉鎖手段と、基端部が前記誘導路から横方向に分岐されるとともに先端部が閉鎖された着脱可能な捕獲路と、前記捕獲路の先端部に設けられて外部からの採光を可能とするとともに前記外部からの内部の視認は禁止する明かり採りと、前記捕獲路に進入したねずみが前記誘導路に逆行することを防止する逆行防止手段と、を備える、ことを特徴とする。
【００１３】
請求項２に係る発明は、請求項１に係るねずみ捕りにおいて、前記捕獲路は、断面円形のパイプ状に形成されるとともに、前記基端部が前記誘導路側に着脱可能に嵌合されている、ことを特徴とする。
【００１４】
請求項３に係る発明は、請求項２に係るねずみ捕りにおいて、前記逆行防止手段は、一方の面に粘着剤が塗布されて前記粘着剤の塗布面を内側にして筒状に巻かれて前記捕獲路内に挿入された粘着シートである、ことを特徴とする。
【００１５】
請求項４に係る発明は、請求項２に係るねずみ捕りにおいて、前記逆行防止手段は、前記捕獲路の基端部近傍における前記捕獲路側又は前記誘導路側に配置されて、前記誘導路から前記捕獲路へのねずみの進入は許容し、前記捕獲路から前記誘導路への逆行は禁止する逆行防止部材によって構成されている、ことを特徴とする。
【００１６】
請求項５に係る発明は、請求項２ないし４のいずれか１項に係るねずみ捕りにおいて、前記捕獲路は、前記先端部が着脱可能に構成されている、ことを特徴とする。
【００１７】
請求項６に係る発明は、請求項１ないし５のいずれか１項に係るねずみ捕りにおいて、前記閉鎖手段は、前記検知手段の検知信号によって作動する電磁石と、前記電磁石の作動に伴って係合位置から解除位置に移動することで、前記扉の前記係止を解除して前記扉を前記開放位置から前記閉鎖位置に移動させる閉じ部材と、を有する、ことを特徴とする。
【００１８】
請求項７に係る発明は、請求項６に係るねずみ捕りにおいて、前記検知手段は、前記餌置き部近傍に配置されてねずみが乗ることで下降する踏み板と、前記踏み板の下降を検知して前記電磁石を作動させるスイッチと、を有する、ことを特徴とする。
【００１９】
請求項８に係る発明は、請求項１ないし７のいずれか１項に係るねずみ捕りにおいて、前記扉は、閉鎖位置に配置された際に内側に位置する内面に、奥側に向けて延びる針状部材を有する、ことを特徴とする。
【００２０】
請求項９に係る発明は、請求項１ないし８のいずれか１項に係るねずみ捕りにおいて、前記扉と前記誘導路との間に、前記扉を前記閉鎖位置に向けて付勢する付勢部材が介装されている、ことを特徴とする。
【００２１】
請求項１０に係る発明は、請求項１ないし９のいずれか１項に係るねずみ捕りにおいて、前記誘導路は、一方の端部と他方の端部とに前記進入口を有し、前記扉は、前記一方の端部と前記他方の端部の前記進入口のそれぞれに取り付けられている、ことを特徴とする。
【００２２】
請求項１１に係る発明は、請求項１０に係るねずみ捕りにおいて、前記誘導路は、前記一方の端部と前記他方の端部とに、前記進入口を閉鎖する透明板を挿脱可能なスリットを有している、ことを特徴とする。
【発明の効果】
【００２３】
請求項１の発明によれば、誘導路の進入口からねずみが進入すると、これを検知手段が検知し、閉鎖手段によって進入口が閉鎖される。退路を閉ざされたねずみは、捕獲路の先端部の明かり採りに向かって進むため、誘導路から捕獲路に進入する。捕獲路に進入したねずみは、逆行防止手段によって誘導路に戻ることができなくなるため、捕獲路に捕獲される。明かり採りは、採光は可能ではあるが、これを介して外部から内部を見ることはできないので、他のねずみが、捕獲路に捕獲されたねずみを外部から見ることはできない。このため、他のねずみが、学習してこのねずみ捕りに捕獲されにくくなることはない。また、捕獲路が着脱可能であるので、捕獲路を誘導路から取り外して、基端部（誘導路に近い側）を下方に傾けるだけで、捕獲路からねずみを簡単に外部に排出することができる。
【００２４】
請求項２の発明によれば、捕獲路は、断面円形のパイプ状に形成されているので、誘導路に対して回転させながら、簡単に係脱することができる。
【００２５】
請求項３の発明によれば、捕獲路の進入したねずみは、粘着シートが体に粘着されるので、自由に動くことができなくなり、捕獲路に捕獲される。また、捕獲路からねずみを取り出す際には、粘着シートごと取り出すことができる。
【００２６】
請求項４の発明によれば、捕獲路に進入したねずみは、逆行防止部材により、捕獲路から誘導路に逆行することができなくなる。
【００２７】
請求項５の発明によれば、誘導路は先端部が着脱可能であるので、例えば、逆行を防止する部材が、捕獲路側に設けてある場合でも、先端部を外すことで、ここからねずみを外部に排出することができる。
【００２８】
請求項６の発明によれば、電磁石で閉じ部材を係合位置から解除位置に移動させることで、扉を開放位置から閉鎖位置に移動させることができる。
【００２９】
請求項７の発明によれば、スイッチは、ねずみが踏み板に乗って下降したときにこれを検知して検知信号を発し、電磁石を作動させて扉を閉鎖することができる。
【００３０】
請求項８の発明によれば、扉が閉鎖される際に、ねずみの体に一部や尻尾が完全に進入口から入っていない場合や、ねずみが進入口から逃げ出そうとした場合に、針状部材がねずみに刺さって刺激を与えるので、ねずみはびっくりして奥側に移動する。
【００３１】
請求項９の発明によれば、扉と誘導路との間に扉を閉鎖方向に付勢する付勢部材が介装されているので、扉を閉鎖する際に円滑かつ確実に閉鎖することができる。
【００３２】
請求項１０の発明によれば、誘導路の両端のそれぞれに進入口、及びこれを塞ぐ扉が設けられているので、ねずみが誘導路に置かれた餌を視認しやすく、また、両進入口からのねずみの進入が可能となる。さらに、別な見方をすれば、誘導路を、入口と出口を有する通路として見ることができるので、この点からもねずみが進入しやすい。
【００３３】
請求項１１の発明によれば、例えば、ねずみ捕りの置き場所等の制約で、進入口が２つよりも１つの方が好ましいような場合、スリットに透明板を挿入して１つの進入口を閉鎖し、かつ扉は開放位置に配置する。これにより、透明板は明かり採りとして作用して、ねずみが誘導路中の餌を見やすくする。ねずみが誘導路中に進入すると、双方の入り口の扉が閉じられるが、一方は、その本来の目的である、進入口を塞いでねずみの退路を断つものであるのに対して、他方の透明板側の扉は、既に透明板でねずみの退路は断たれているので、透明板を覆って採光を不能とするものである。これにより、外部から内部を見えなくするとともに、誘導路中のねずみが唯一の明かりである明かり採りに向かって移動しやすいようにする。
【図面の簡単な説明】
【００３４】
【図１】ねずみ捕り１の全体構成を示す部分破断斜視図である。
【図２】検知手段３０を説明する図である。
【図３】捕獲路５０を説明する図である。
【図４】ねずみ捕り１内でのねずみの動作を説明する、上方から見た模式図である。
【図５】検知手段３０としての光透過型の光センサ３５を説明する図である。
【図６】閉鎖手段４０のアーム４７として揺動するアーム４７を使用する例を示す図である。
【図７】閉鎖手段４０のアーム４８として長手方向に移動する左アーム４８ａ，右アーム４８ｂを使用する例を説明する図である。
【図８】閉鎖手段４０として、ソレノイド４９を使用した例を説明する図である。
【図９】「十」字形に配置した２つの捕獲路５０，５０を説明する図である。
【図１０】誘導路１０に対して捕獲路５０が直角でない角度で交差する例を説明する図である。
【図１１】明かり採り６０の他の例を説明する図である。
【図１２】逆行防止手段７０の他の例を説明する図である。
【発明を実施するための形態】
【００３５】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３６】
図１〜図４を参照して、本発明を適用した実施形態１のねずみ捕り１について説明する。ここで、図１は、ねずみ捕り１の全体構成を示す部分破断斜視図である。なお、以下では、説明の便宜上、図１中の上部に矢印で示す前後左右上下が、ねずみ捕り１の前後左右上下を示すものとして説明するが、前後方向と左右方向とを入れ替えてもいいのはもちろんである。また、図２は、検知手段３０を説明する図である。また、図３は、捕獲路５０を説明する図である。また、図４は、ねずみ捕り１内でのねずみの動作を説明する、上方から見た模式図である。なお、図４ではハッチングを省略している。
【００３７】
図１に示すように、ねずみ捕り１は、進入口１１，１１、餌置き部１２を有する誘導路１０と、進入口１１，１１にそれぞれ取り付けられた開閉自在な扉２０，２０と、進入口１１，１１からねずみ（不図示）が進入したことを検知する検知手段３０と、この検知手段３０の検知信号により扉２０を閉鎖する閉鎖手段４０と、誘導路１０から横方向（前方向）に分岐された捕獲路５０と、捕獲路５０の先端部（前端部）５０ａに設けられた明かり採り６０と、捕獲路５０に進入したねずみが誘導路１０に逆行することを防止する逆行防止手段７０と、を備えている。
【００３８】
誘導路１０は、四角筒状に形成されていて、底板１３、天板１４、前後一対の側板１５，１５を有しており、底板１３が床面，地面等の載置面に置かれる。誘導路１０は、長手方向（左右方向）の両端にそれぞれ開口部を有していて、これら開口部が、ねずみが進入する進入口１１となっている。進入口１１，１１から奥に入ったところ、つまり、底板１３の上面における長手方向の略中央には、餌置き部１２が設けてあって、ここには、餌Ｆが取り付けられるピン１６が突設されている。このピン１６を挟むようにして、左右両側に踏み板３１（検知手段３０の一部）が配設されている。また、底板１３におけるこれら踏み板３１の下方に位置する部分には、スイッチセンサ３２（検知手段３０の一部）を取り付けるための取付孔１３ａ（図２参照）が上下方向に貫通されている。また、誘導路１０は、一方の側板（前の側板）１５の長手方向の略中央が、円形に刳り貫かれていて、ここには、外側に向けて、捕獲路５０を取り付けるための円筒状の台座１７が設けられている。また、前の側板１５におけるそれぞれの進入口１１近傍には、上下方向に延びるスリット１５ａが、前の側板１５を前後方向に貫通するように設けられている。これらスリット１５ａは、進入口１１を閉鎖する透明板１８（例えば、アクリル板、塩化ビニル板）が着脱自在に挿着される。なお、透明板１８の作用については後に説明する。
【００３９】
扉２０，２０は、誘導路１０の長手方向の両端部のそれぞれの進入口１１，１１に取り付けられている。各扉２０は、進入口１１よりも少し大きい矩形に形成されていて、その上端２０ａと誘導路１０の天板１４の端部との間に、２個（複数）の蝶番２１が取り付けられていて、これらの蝶番２１を揺動中心として、進入口１１を開放する開放位置Ｐ１（図１の実線参照）と閉鎖する閉鎖位置Ｐ２（図１の右の扉の二点鎖線参照）との間を移動（揺動）できるようになっている。２個の蝶番２１，２１のうち、一方は、扉２０を閉鎖位置Ｐ２（図１の右の扉２０の二点鎖線参照）に向けて矢印Ｒ１方向（閉鎖方向）に付勢するばね部材２１ａが組み込まれていて、これにより、扉２０は、閉鎖時に、自重と付勢力とによって、閉動作を確実で迅速に行うとともに、閉鎖位置Ｐ２に配置された後には、開きにくくなっている。扉２０の外面２０ｂにおける略中央には、「Ｌ」字型のフック２２が突設されている。また、扉２０の内面２０ｃには、扉２０が閉鎖位置Ｐ２に配置された状態において、奥側を向くように、複数（多数）の針状部材２３，２３…が突設されている。なお、図１では、右の扉２０の針状部材２３，２３…の図示は省略している。これら針状部材２３，２３…は、一旦、誘導路１０に閉じ込められたねずみが、扉２０を外側に押して開放しようとするのを防止するためのものである。針状部材２３，２３…は、その基端側が、扉２０に形成された嵌合穴（不図示）に対して、着脱自在に嵌合されるようになっている。
【００４０】
検知手段３０は、図２に示すように、２枚の踏み板３１，３１とセンサスイッチ（スイッチ）３２，３２と、ばね部材（圧縮ばね）３３，３３と有している。各踏み板３１は、矩形の薄板によって形成されており、基端側がテープ３４で止められ、先端側がばね部材３３によって上方に付勢されて、傾斜姿勢を維持している。センサスイッチ３２は、センサ本体３２ａが誘導路１０の底板１３の取付孔１３ａに嵌合されていて、センサ本体３２ａに対して上下動可能なスイッチ部３２ｂが踏み板３１の裏面（下面）に接触するかあるいはわずかな間隙を介して配置されている。検知手段３０は、ねずみによって踏み板３１が踏まれて下がると、スイッチ部３２ｂが押し下げられてオンされ、検知信号を出力するようになっている。この検知信号は、次に説明する閉鎖手段４０に伝達される。
【００４１】
閉鎖手段４０は、図１に示すように、誘導路１０の天板１４の上面に配設されていて、天板１４の長手方向の略中央の後側に配設された電磁石４１と、左右方向に長い板状に形成されたアーム（閉じ部材）４２と、アーム４２を付勢するばね部材（引っ張りばね）４３とを有している。電磁石４１は、固定的に配置された本体４４と、本体４４により前後方向移動可能に支持された作動部４５とを有していて、作動部４５は、検知手段３０の検知信号により、本体４４の磁力によって後方（矢印Ｋ１方向）に引かれる。アーム４２は、長手方向の中央が電磁石４１の作動部４５に固定されていて、係合位置Ｐ３（実線参照）と解除位置Ｐ４（二点鎖線参照）との間を移動可能である。アーム４２は、両端部近傍のそれぞれに、天板１４の上面を転動するローラ４２ｂが取り付けられていて、これらローラ４２ｂ，４２ｂにより、バランスが維持されるとともに、円滑な移動が可能となっている。
【００４２】
電磁石４１及びアーム４２の長手方向（左右方向）の中央部分は、左右方向に長いカバー部材４６によって覆われている。そして、カバー部材４６の長手方向の両端部近傍には、ばね部材４３の一方の端部（基端部）４３ａが取り付けられていて、ばね部材４３の他方の端部（先端部）４３ｂは、アーム４２に取り付けられている。アーム４２はこれにより前側に付勢された状態で、長手方向のそれぞれの端部４２ａ，４２ａに、扉２０，２０のフック２２，２２が係止（係合）されている。
【００４３】
閉鎖手段４０は、検知手段３０の検知信号によって電磁石４１がオンされて、作動部４５が後方（矢印Ｋ１方向）に引かれると、作動部４５と一体のアーム４２がばね部材４３，４３の付勢力に抗して係合位置Ｐ３から解除位置Ｐ４に移動し、これにより、フック２２，２２の係合を解除するようになっている。これにより、扉２０，２０は、自重及び蝶番２１のばね部材２１ａの付勢力によって、開放位置Ｐ１から閉鎖位置Ｐ２に移動して、進入口１１を閉鎖する。
【００４４】
捕獲路５０は、誘導路１０から横方向（前方）に直角に分岐されており、断面円形のパイプ状の捕獲路本体５１と、この捕獲路本体５１の先端部５１ａに取り付けられたキャップ５２とを有している。捕獲路本体５１は、例えば、不透明な塩化ビニル管によって形成されていて、その基端部５１ｂは、誘導路１０側の台座１７の内面に嵌合されている。この嵌合状態は、締まりバメとなっていて、捕獲路本体５１を回転させながらその基端部５１ｂ（以下適宜、捕獲路５０の基端部５０ｂという。）を台座１７の内面に押し込むことにより、嵌合することができ、取り外すときは回転させながら引き抜くことにより嵌合を解除することができる。このように、捕獲路本体５１は、ユーザの積極的な着脱動作によっては、着脱は容易であるが、一旦、嵌合した場合、すなわち、ねずみ取り１を所定の場所にセットした状態においては、容易には抜けることがない。この嵌合状態は、キャップ５２についても同様である。キャップ５２は、円筒状の円筒部５２ａと円板状の円板部５２ｂとによって構成されており、円筒部５２ａが捕獲路本体５１の先端部５１ａに、捕獲路本体５１の基端部５１ｂの嵌合状態と同様に、すなわち、回転させながらの積極的な着脱動作によっては比較的容易に着脱することができる一方、例えば、ねずみが衝突したような場合でも脱落しないような嵌合状態で嵌合されている。円板部５２ｂには、明かり採り６０が設けてある。
【００４５】
明かり採り６０は、円板部５２ｂを前後方向に貫通する多数の透孔６１，６１…によって構成されている。これら透孔６１は、直径を小さくすることで、採光は可能であるが、外部からは内部のようすが見えにくくなっている。この明かり採り６０は、明かりの採光に加えて、空気の流通を可能にする。誘導路１０に閉じ込められたねずみは、この空気の流れを感じて、誘導路１０から捕獲路５０に移動することも考えられる。
【００４６】
逆行防止手段７０は、図１，図３に示すように、捕獲路５０の捕獲路本体５１の内面に配設された粘着シート７１によって構成されている。粘着シート７１は、表面７１ａに粘着剤が塗布されており、この表面（塗布面）７１ａを内側にして巻いた状態で、捕獲路５０のキャップ５２を外して、捕獲路本体５１の内側に挿入されている。挿入された粘着シート７１は自身の復元力によって粘着剤が塗布されていない裏面７１ｂが捕獲路本体５１の内面に密着するようにして収納される。誘導路１０から捕獲路５０に進入したねずみは、粘着シート７１にくっ付いて動きが取れなくなる。粘着シート７１は、粘着剤のない裏面７１ｂは、捕獲路本体５１の内面との間に適度な滑りが発生するので、粘着シート７１にくっついたねずみを排出するには、捕獲路本体５１を誘導路１０の台座１７から引き抜き、引き抜いた基端部５１ｂを下方にして捕獲路５０を傾斜させれば、粘着シート７１ごとねずみを排出することができる。
【００４７】
上述構成のねずみ捕り１の作用効果について説明する。
【００４８】
まず、誘導路１０の２つの進入口１１，１１の双方からねずみが進入できるようにした場合を説明する。
【００４９】
図１，図４に示すように、誘導路１０の餌置き部１２のピン１６に餌Ｆをセットする。また、捕獲路５０のキャップ５２を外して、捕獲路本体５１の内側に、粘着シート７１を丸めて挿入し、捕獲路本体５１の基端部５１ｂを誘導路１０の台座１７に嵌合する。そして、扉２０，２０（図４では省略）を開けて開放位置Ｐ１に配置して、扉２０，２０のフック２２，２２を、係合位置Ｐ３にあるアーム４２のそれぞれの端部４２ａ，４２ａに係止する。これにより、扉２０，２０を開放位置Ｐ１に保持することができる。
【００５０】
ところで、ねずみは、夜行性であり、また、移動する際には、例えば床面を横切るようなことはしないで、床面と壁面とが交差するコーナーに沿って移動することが知られている。
【００５１】
そこで、ねずみ捕り１を、その誘導路１０の長手方向がコーナーに沿うようにしてセットする。これにより、ねずみの通路に沿って誘導路１０を配置することができる。さらに、誘導路１０が四角筒状に形成されていて、例えば、円筒状に形成されている場合と異なり、コーナーと誘導路１０との間には、隙間ができないので、ねずみが誘導路１０内に進入しやすくすることができる。ねずみ捕り１をコーナーにセットしたら、センサスイッチ３２，３２及び電磁石４１を電源（不図示）に接続する。以上で準備が完了する。
【００５２】
コーナーに沿って進んできたねずみは、誘導路１０の中央のピン１６に取り付けられた餌Ｆに惹かれて、例えば、左の進入口１１から進入して、矢印Ｎ１方向に進む。そして、ねずみが踏み板３１を踏むと、踏み板３１が下降して、センサスイッチ３２がオンされて検知信号を発生する。この検知信号により、電磁石４１が作動して、作動部４５が後方（矢印Ｋ１方向）に引かれ、作動部４５と一体のアーム４２が係合位置Ｐ３から解除位置Ｐ４に移動する。これにより、アーム４２のそれぞれの端部４２ａ，４２ａに係止されていたフック２２，２２の係止が解除され、開放位置Ｐ１に配置されていた扉２０，２０が自身の自重及び蝶番２１のばね部材２１ａの付勢力によって、閉鎖位置Ｐ２に移動して進入口１１，１１を閉鎖する。この際、扉２０，２０には、針状部材２３，２３…が取り付けられていて、ねずみが進入口１１から逃げ出そうとしたり、扉２０，２０に挟まったりした場合には、針状部材２３，２３…がねずみに刺さって刺激を与えるので、ねずみは扉２０，２０を外側に押して逃げることができず、奥側へ進む。この時点では、２つの扉２０，２０が閉鎖されていて、誘導路１０の内部が暗くなっている。ここで、ねずみは、明かり採り６０から漏れてくる光や空気の流れに誘われるようにして、誘導路１０から捕獲路５０に移動する。捕獲路５０に移動したねずみは、粘着シート７１にくっついて身動きが取れなくなって捕獲される。なお、右の進入口１１から進入した矢印Ｎ２方向に進むねずみも同様である。
【００５３】
捕獲したねずみは、ユーザが捕獲路５０の基端部５０ｂを誘導路１０側の台座１７から引き抜き、その後、基端部５０ｂ側を下方に傾斜させることで、粘着シート７１とともにねずみを捕獲路５０の外部に排出することができる。なお、ねずみの排出は、キャップ５２を外すことにより、捕獲路本体５１の先端部５１ａ側からも同様に行うことができる。
【００５４】
以上説明したねずみ捕り１は、三次元的な落とし穴を、二次元的に実現しているともいえる。落とし穴では、小動物は、一旦、落とし穴に落ち込むと、落とし穴の底から這い上がって抜け出すことができない。一方、ねずみ捕り１は、誘導路１０に進入したねずみは、明かりに誘われて、一旦、捕獲路５０に入り込むと、ここから逆行して抜け出すことができない。この点では同様であるが、本実施形態では、捕獲後のねずみの処理が極めて容易である点で落とし穴とは大きく異なる。
【００５５】
以上説明したねずみ捕り１は、以下のような効果を奏することができる。
【００５６】
・進入口１１から誘導路１０に進入したねずみを、検知手段３０によって検知し、閉鎖手段４０によって、扉２０，２０を閉鎖位置Ｐ２に移動させて進入口１１，１１を確実に閉鎖してねずみを誘導路１０に閉じ込めることができる。この際、進入口１１，１１を閉鎖した扉２０，２０の内面には奥側に向けて針状部材２３，２３…が突設されているので、ねずみは、針に刺さるため、扉２０，２０を外側に押して開放することができない。さらに、これにより、扉２０，２０を閉鎖方向に付勢するばね部材２１ａの付勢力を小さくすることが可能である。このため、フック２２とアーム４２との係合力を小さくしてアーム４２を動きやすくすることができるので、アーム４２を係合位置Ｐ３から解除位置Ｐ４に移動させる際、その分、小さな力で確実に移動させることが可能となる。
【００５７】
・扉２０によって進入口１１が閉鎖されると、ねずみ捕り１の内部は暗くなり、唯一、捕獲路５０の先端部５０ａの明かり採り６０から光が入るので、誘導路１０内に閉じ込められたねずみは、光の射す方に移動し、誘導路１０から捕獲路５０に進入することになる。こうして、捕獲路５０に進入したねずみは、逆行防止手段７０としての粘着シート７１にくっついて身動きできなくなり、捕獲される。
【００５８】
・また、扉２０によって進入口１１，１１が閉鎖されると、ねずみ捕り１の外部から内部のようすをみることができないので、外部にいる他のねずみは、誘導路１０にねずみが閉じ込められたり、捕獲路５０で捕獲されたりしているようすを見ることができない。このため、学習することができず、他のねずみがねずみ捕り１にかかりにくくなるおそれはない。
【００５９】
・捕獲したねずみは、捕獲路５０を誘導路１０から取り外して、基端部５０ｂ側を下方に傾斜させることで、粘着シート７１ごと滑り落として外部に排出することができる。また、キャップ５２を外して同様に外部に排出することも可能である。いずれの場合も、ユーザは、ねずみに触れたり、挟み等の器具でねずみをつまみ出したりする作業が全くないので、ねずみの処理を衛生的に、また極めて容易に行うことができる。
【００６０】
・また、捕獲したねずみの処理時に、リード線を介して電源との接続が必要なセンサスイッチ３２，３２及び電磁石４１等の電装品が配設されている誘導路１０側は、何ら移動させたりする必要がなく、誘導路１０側に着脱自在に取り付けられている捕獲路５０のみの処理で済むので、この点からも処理の簡略化を図ることができる。
【００６１】
次に、誘導路１０の一方の進入口１１（図１では左の進入口１１）のみを使用する場合を説明する。ねずみ捕り１の設置場所等によっては、一方（左の）進入口１１だけで十分あるいは左の進入口１１しか使用できない場合がある。このような場合、右の進入口１１は、透明板１８をスリット１５ａに装入することで閉鎖し、右の扉２０を開放位置Ｐ１に配置する。なお、この右の扉２０については、針状部材２３，２３…は不要であるので、取り外しておく。このように、右の扉２０を閉鎖しないのは、誘導路１０の内部を明るくして餌Ｆが見えやすくし、また、閉鎖した右の進入口１１からも餌が見えるようにするためである。左の進入口１１からねずみが進入してこれを検知手段３０が検知し、閉鎖手段４０が作動すると、双方の扉２０，２０が閉鎖位置Ｐ２に配置される。なお、その後については、進入口１１が２つとも開放されている場合と同様であるので説明は省略する。
【００６２】
つづいて、各構成要素の変形例について説明する。
【００６３】
上述では、誘導路１０が四角筒状である場合を例に説明したが、誘導路１０の形状は、四角筒状に限定されるものではなく、例えば、六角筒状、円筒状を採用することも可能ではある。しかし、ねずみ捕り１の一般的な設置場所がねずみの通り道、すなわち床面や地面等の載置面とこれに垂直な壁面とが交差するコーナーであることを考慮すると、このコーナーにぴったりと嵌まる四角筒状が好適である。
【００６４】
図５を参照して、検知手段３０の変形例を説明する。同図は、誘導路１０の内部を上方から見た模式図である。検知手段３０としては、上述の踏み板３１及びセンサスイッチ３２を使用するものに代えて、図５に示すように、光透過型の光センサ３５を使用することも可能である。誘導路１０の一方の側板１５に投光部３５ａを設け、他方の側板１５に受光部３５ｂを設ける。光センサ３５は、投光部３５ａと受光部３５ｂとの間に形成される光路Ｌをねずみが遮断すると、検知信号を発生して、閉鎖手段４０を作動させることができる。なお、このような光センサ３５を使用する場合には、踏み板３１は不要となる。
【００６５】
図６，図７，図８を参照して、それぞれ別の閉鎖手段４０を説明する。図６に示すものは、アーム（閉じ部材）４７を、上下方向に設定した揺動中心４７ａに対して揺動可能に配設する。また、電磁石４１を揺動中心４７ａから長手方向の一方にずらして配設し、この位置で電磁石４１の作動部４５をアーム４７に固定する。検知手段３０の検知信号によって電磁石４１の作動部４５が矢印Ｋ２方向に移動すると、アーム４７の端部４７ｂ，４７ｂがそれぞれ矢印Ｒ２方向、矢印Ｒ３方向に移動して、扉２０，２０のフック２２，２２の係止を解除するようになっている。なお、本例においても、図１に示すころ４２ｂと同様のころ４２ｂを、アーム４７の両端部のうちの、電磁石４１がない側の端部に設けるとよい。
【００６６】
図７に示すものは、アーム４８（閉じ部材）を２つに分割してそれぞれ長手方向に移動可能な左アーム４８ａと右アーム４８ｂとする。また、電磁石４１を横向きに配置してその作動部４５を左アーム４８ａの基端部に突設された取付部４８ｃに固定する。また、左アーム４８ａの基端部と右アーム４８ｂの基端部とにそれぞれラック（不図示）を形成し、これらラックの間にピニオン４８ｄを介装する。検知手段３０の検知信号によって電磁石４１の作動部４５が矢印方Ｋ３方向に移動すると、左アーム４８ａが矢印Ｋ４方向に移動し、また、右アーム４８ｂが矢印Ｋ５方向に移動し、いずれも先端に係合されていたフック２２，２２の係止を解除する。この図７に示す例によると、長尺な左アーム４８ａ、右アーム４８ｂをその長手方向に移動させるので、比較的軽量なアームを使用した場合でも、アーム等の変形を考慮する必要がなく、また動作が確実である。
【００６７】
図８に示すものは、誘導路１０の天板１４の長手方向の両端部にそれぞれソレノイド４９，４９（ただし、図８では一方のみを図示）を配設し、本体４９ａに対して伸縮自在なプランジャ４９ｂを、伸長状態で、フック２２に係合するものである。検知手段３０の検知信号により、プランジャ４９ｂが矢印Ｋ６方向に短縮されて、フック２２の係止を解除する。この図８に示すものは、ソレノイド４９，４９が２個必要ではあるが、長尺なアームが不要で、構成を簡略化することができ、しかも、アームが不要である分、動作が確実なものとなる。
【００６８】
なお、閉鎖手段４０について図１，図６〜図８を参照してそれぞれ異なる構成のものを説明したが、本発明では、閉鎖手段４０については、これらのいずれを使用することも可能であり、また、これら以外の別の閉鎖手段４０を採用することも可能である。
【００６９】
図９を参照して、捕獲路５０の変形例を説明する。上述では、誘導路１０に対して捕獲路５０が直交して「Ｔ」字形に交差する場合を説明したが、図９に示すように、捕獲路５０を「十」字形に構成してもよい。すなわち、誘導路１０の左の側板１５にも同様の捕獲路５０を設けるようにしてもよい。なお、いずれの場合も、捕獲路５０は、誘導路１０に対して直交する場合に限定されず、適度な角度をもって分岐するようにしてもよい。例えば、左の進入口１１のみを使用する場合、進入口１１から進入したねずみが誘導路１０から捕獲路５０に移動しやすいように、図１０に示すように、進行方向に対してθが９０度以下の緩い角度となるように傾斜させてもよい。
【００７０】
図１１を参照して、明かり採り６０の別な例を説明する。捕獲路５０の捕獲路本体５１の先端部５１ａの側壁に、径方向に貫通する、図１に示す透孔６１よりも直径が大きい内側透孔６２を穿設する。一方、キャップ５２の円筒部５２ａのうちの、この内側透孔６２と対応する位置にも同程度の大きさの外側透孔６３を、径方向に穿設する。このように構成すれば、捕獲路本体５１側の内側透孔６２に対して、キャップ５２を適宜に回転させて外側透孔６３の位置をずらすことにより、開口面積Ｓ、つまり、実質的に光が入る部分の面積を調整することが可能となる。さらに、内側透孔６２と外側透孔６３とを一致させて開口面積Ｓを大きくすれば、ユーザは、捕獲路５０を誘導路１０側から取り外すことなく、捕獲路５０内部のようすを外部から見ることができる。
【００７１】
図１２を参照して、逆行防止手段７０の別な例を説明する。逆行防止手段７０は、弾性を有する多数の羽根（逆行防止部材）７２，７２…によって形成されている。各羽根７２は、基端部７２ａが捕獲路本体５１の内面に固定され、先端部７２ｂがフリーとなって捕獲路５０の先端側でかつ中心側に向けて配置されている。逆行防止手段７０は、ねずみが誘導路１０側から捕獲路５０側に向けて通過する際には、各羽根７２が拡開してその通過を許容する。一方、逆に、捕獲路５０側から誘導路１０側に逆行しようとすると、各羽根７２の先端部７２ｂが狭まる方向に移動して、通過を禁止する。なお、この逆行防止手段７０は、捕獲路本体５１の基端部５１ｂに代えて、誘導路１０の台座１７の内側に配置するようにしてもよい。台座１７側に配置した場合には、ねずみの処理に際して着脱する捕獲路５０の構成を簡単、軽量化して作業性を向上させることができ、一方、捕獲路本体５１側に配置した場合には、捕獲路５０を台座１７から外す際に、既に捕獲しているねずみを誤って捕獲路５０から落とすおそれがない。なお、逆行防止手段７０として、粘着シート１７と羽根７２，７２…との双方を設けるようにして、ねずみの逆行を確実に防止するようにしてもよい。
【００７２】
各羽根７２は、例えば、合成樹脂や金属によって形成することができる。さらに、羽根７２に代えて、適度な弾性を有する細い針金状の金属棒を多数、取り付けるようにしてもよい。これら金属棒は、基端側を捕獲路本体５１の内面に固定し、先端側を中心に向けて全体として、ロート状に配設する。そして、例えば、先端側を針状に形成しておけば、逆行しようとするねずみに刺さるので、ねずみは強引に逆行することができず、逆行防止を確実なものとすることができる。
【００７３】
以上説明したねずみ捕り１は、主にねずみを捕ることを目的としているため、ねずみ捕りという名称になっているが、ねずみ捕り１は、ねずみばかりでなく、他の小動物を捕獲するのにも使用することができるのはもちろんである。
【符号の説明】
【００７４】
１  ねずみ捕り
１０  誘導路
１１  進入口
１２  餌置き部
１５ａ  スリット
１８  透明板
２０  扉
２１  蝶番
２１ａ  ばね部材（付勢部材）
２３  針状部材
３０  検知手段
３１  踏み板
３２  センサスイッチ（スイッチ）
４０  閉鎖手段
４１  電磁石
４２  アーム（閉じ部材）
４７  アーム（閉じ部材）
４８  アーム（閉じ部材）
５０  捕獲路
５０ａ  捕獲路の先端部
５０ｂ  捕獲路の基端部
６０  明かり採り
７０  逆行防止手段
７１  粘着シート
７２  羽根（逆行防止部材）
Ｐ１  開放位置
Ｐ２  閉鎖位置
Ｐ３  係合位置
Ｐ４  解除位置
【図１】
2011078359.tif 000003
【図２】
2011078359.tif 000004
【図３】
2011078359.tif 000005
【図４】
2011078359.tif 000006
【図５】
2011078359.tif 000007
【図６】
2011078359.tif 000008
【図７】
2011078359.tif 000009
【図８】
2011078359.tif 000010
【図９】
2011078359.tif 000011
【図１０】
2011078359.tif 000012
【図１１】
2011078359.tif 000013
【図１２】
2011078359.tif 000014